【手続補正書】
【提出日】平成25年1月25日(2013.1.25)
【手続補正１】
【補正対象書類名】特許請求の範囲
【補正対象項目名】全文
【補正方法】変更
【補正の内容】
【特許請求の範囲】
【請求項１】
入力電圧を変換して直流電圧を生成するＡＣ／ＤＣコンバータと、
前記ＡＣ／ＤＣコンバータから前記直流電圧を出力するオン状態と、前記直流電圧の出力を遮断するオフ状態の切替を行う給電切替手段と、
前記給電切替手段の動作を指示するスイッチ手段と、
前記ＡＣ／ＤＣコンバータから前記直流電圧を出力している時は、前記給電切替手段にオン状態、又はオフ状態を指示する制御手段と、
を備え、
前記ＡＣ／ＤＣコンバータに接続され、前記入力電圧が供給された時に前記給電切替手段にオン状態を指示し、前記制御手段からの指示により前記給電切替手段にオフ状態を指示した後は、前記入力電圧の供給が絶たれるまで、前記給電切替手段にオフ状態を指示する給電保持手段を備えたことを特徴とする電子機器。
【請求項２】
入力電圧を変換して直流電圧を生成するＡＣ／ＤＣコンバータと、
前記ＡＣ／ＤＣコンバータから前記直流電圧を出力するオン状態と、前記直流電圧の出力を遮断するオフ状態の切替を行う給電切替手段と、
前記給電切替手段の動作を指示するスイッチ手段と、
前記ＡＣ／ＤＣコンバータから前記直流電圧を出力している時は、前記給電切替手段にオン状態、又はオフ状態を指示する制御手段と、
を備え、
前記ＡＣ／ＤＣコンバータに接続され、前記入力電圧が供給された時に前記給電切替手段が所定時間の間、オン状態になるように指示し、前記所定時間が経過した後は、前記入力電圧の供給が絶たれるまで、前記給電切替手段にオフ状態を指示する給電保持手段を備えたことを特徴とする電子機器。
【請求項３】
前記電子機器の動作状態を記憶させた不揮発性の記憶手段を有し、前記制御手段は、前記記憶手段に記憶された動作状態に応じて、前記給電切替手段にオン状態、又はオフ状態を指示することを特徴とする請求項１または２に記載の電子機器。
【請求項４】
前記制御手段は、前記給電切替手段がオン状態の場合には、前記電子機器の動作状態として、前記給電切替手段がオン状態である情報を前記記憶手段に記憶させ、前記給電切替手段にオフ状態を指示する場合には、前記給電切替手段がオフ状態である情報を前記記憶手段に記憶させることを特徴とする請求項３に記載の電子機器。
【請求項５】
前記スイッチ手段、前記給電保持手段、前記制御手段のうち、少なくとも一つの手段が前記給電切替手段にオン状態を指示している場合に、前記給電切替手段がオン状態となることを特徴とする請求項１ないし４のいずれか１項に記載の電子機器。
【請求項６】
画像を形成するために用いられるユニットと、
入力電圧を変換して直流電圧を生成し、生成した前記直流電圧を前記ユニットに供給するＡＣ／ＤＣコンバータと、
前記ＡＣ／ＤＣコンバータから前記直流電圧を出力するオン状態と、前記直流電圧の出力を遮断するオフ状態の切替を行う給電切替手段と、
前記給電切替手段の動作を指示するスイッチ手段と、
前記ＡＣ／ＤＣコンバータから前記直流電圧を出力している時は、前記給電切替手段にオン状態、又はオフ状態を指示する制御手段と、
を備え、
前記ＡＣ／ＤＣコンバータに接続され、前記入力電圧が供給された時に前記給電切替手段にオン状態を指示し、前記制御手段からの指示により前記給電切替手段にオフ状態を指示した後は、前記入力電圧の供給が絶たれるまで、前記給電切替手段にオフ状態を指示する給電保持手段を備えたことを特徴とする画像形成装置。
【請求項７】
画像を形成するために用いられるユニットと、
入力電圧を変換して直流電圧を生成し、生成した前記直流電圧を前記ユニットに供給するＡＣ／ＤＣコンバータと、
前記ＡＣ／ＤＣコンバータから前記直流電圧を出力するオン状態と、前記直流電圧の出力を遮断するオフ状態の切替を行う給電切替手段と、
前記給電切替手段の動作を指示するスイッチ手段と、
前記ＡＣ／ＤＣコンバータから前記直流電圧を出力している時は、前記給電切替手段にオン状態、又はオフ状態を指示する制御手段と、
を備え、
前記ＡＣ／ＤＣコンバータに接続され、前記入力電圧が供給された時に前記給電切替手段が所定時間の間、オン状態になるように指示し、前記所定時間が経過した後は、前記入力電圧の供給が絶たれるまで、前記給電切替手段にオフ状態を指示する給電保持手段を備えたことを特徴とする画像形成装置。
【請求項８】
前記電子機器の動作状態を記憶させた不揮発性の記憶手段を有し、前記制御手段は、前記記憶手段に記憶された動作状態に応じて、前記給電切替手段にオン状態、又はオフ状態を指示することを特徴とする請求項６または７に記載の画像形成装置。
【請求項９】
前記制御手段は、前記給電切替手段がオン状態の場合には、前記電子機器の動作状態として、前記給電切替手段がオン状態である情報を前記記憶手段に記憶させ、前記給電切替手段にオフ状態を指示する場合には、前記給電切替手段がオフ状態である情報を前記記憶手段に記憶させることを特徴とする請求項８に記載の画像形成装置。
【請求項１０】
前記スイッチ手段、前記給電保持手段、前記制御手段のうち、少なくとも一つの手段が前記給電切替手段にオン状態を指示している場合に、前記給電切替手段がオン状態となることを特徴とする請求項６ないし９のいずれか１項に記載の画像形成装置。
【手続補正２】
【補正対象書類名】明細書
【補正対象項目名】発明の名称
【補正方法】変更
【補正の内容】
【発明の名称】電子機器及び画像形成装置
【手続補正３】
【補正対象書類名】明細書
【補正対象項目名】０００１
【補正方法】変更
【補正の内容】
【０００１】
本発明は、停電復旧時における電子機器及び画像形成装置の再起動に関するものである。
【手続補正４】
【補正対象書類名】明細書
【補正対象項目名】００１５
【補正方法】変更
【補正の内容】
【００１５】
本発明は上述した問題点に鑑みてなされたものであり、停電復旧後に自動的に停電発生前の状態に復帰するソフトスイッチ方式の電子機器及び画像形成装置を提供することを目的とする。
【手続補正５】
【補正対象書類名】明細書
【補正対象項目名】００１６
【補正方法】変更
【補正の内容】
【００１６】
前述した課題を解決するため、本発明では次のとおりに構成する。
（１）入力電圧を変換して直流電圧を生成するＡＣ／ＤＣコンバータと、前記ＡＣ／ＤＣコンバータから前記直流電圧を出力するオン状態と、前記直流電圧の出力を遮断するオフ状態の切替を行う給電切替手段と、前記給電切替手段の動作を指示するスイッチ手段と、前記ＡＣ／ＤＣコンバータから前記直流電圧を出力している時は、前記給電切替手段にオン状態、又はオフ状態を指示する制御手段と、を備え、前記ＡＣ／ＤＣコンバータに接続され、前記入力電圧が供給された時に前記給電切替手段にオン状態を指示し、前記制御手段からの指示により前記給電切替手段にオフ状態を指示した後は、前記入力電圧の供給が絶たれるまで、前記給電切替手段にオフ状態を指示する給電保持手段を備えたことを特徴とする電子機器。
（２）入力電圧を変換して直流電圧を生成するＡＣ／ＤＣコンバータと、前記ＡＣ／ＤＣコンバータから前記直流電圧を出力するオン状態と、前記直流電圧の出力を遮断するオフ状態の切替を行う給電切替手段と、前記給電切替手段の動作を指示するスイッチ手段と、前記ＡＣ／ＤＣコンバータから前記直流電圧を出力している時は、前記給電切替手段にオン状態、又はオフ状態を指示する制御手段と、を備え、前記ＡＣ／ＤＣコンバータに接続され、前記入力電圧が供給された時に前記給電切替手段が所定時間の間、オン状態になるように指示し、前記所定時間が経過した後は、前記入力電圧の供給が絶たれるまで、前記給電切替手段にオフ状態を指示する給電保持手段を備えたことを特徴とする電子機器。
（３）画像を形成するために用いられるユニットと、入力電圧を変換して直流電圧を生成し、生成した前記直流電圧を前記ユニットに供給するＡＣ／ＤＣコンバータと、前記ＡＣ／ＤＣコンバータから前記直流電圧を出力するオン状態と、前記直流電圧の出力を遮断するオフ状態の切替を行う給電切替手段と、前記給電切替手段の動作を指示するスイッチ手段と、前記ＡＣ／ＤＣコンバータから前記直流電圧を出力している時は、前記給電切替手段にオン状態、又はオフ状態を指示する制御手段と、を備え、前記ＡＣ／ＤＣコンバータに接続され、前記入力電圧が供給された時に前記給電切替手段にオン状態を指示し、前記制御手段からの指示により前記給電切替手段にオフ状態を指示した後は、前記入力電圧の供給が絶たれるまで、前記給電切替手段にオフ状態を指示する給電保持手段を備えたことを特徴とする画像形成装置。
（４）画像を形成するために用いられるユニットと、入力電圧を変換して直流電圧を生成し、生成した前記直流電圧を前記ユニットに供給するＡＣ／ＤＣコンバータと、前記ＡＣ／ＤＣコンバータから前記直流電圧を出力するオン状態と、前記直流電圧の出力を遮断するオフ状態の切替を行う給電切替手段と、前記給電切替手段の動作を指示するスイッチ手段と、前記ＡＣ／ＤＣコンバータから前記直流電圧を出力している時は、前記給電切替手段にオン状態、又はオフ状態を指示する制御手段と、を備え、前記ＡＣ／ＤＣコンバータに接続され、前記入力電圧が供給された時に前記給電切替手段が所定時間の間、オン状態になるように指示し、前記所定時間が経過した後は、前記入力電圧の供給が絶たれるまで、前記給電切替手段にオフ状態を指示する給電保持手段を備えたことを特徴とする画像形成装置。
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】変更
【補正の内容】
【００１９】
本発明によれば、停電復旧後に自動的に停電発生前の機器の状態に復帰させるソフトスイッチ方式の電子機器及び画像形成装置を提供することができる。